Podtech/llm-jp-corpus-v4-ja_patent huggingface dataset:
(57)【要約】【課題】  痔を自然治癒させるための健康管理法を提案すること。【解決手段】  ４０℃前後の温水を肛門廻りおよび肛門内に供給しながら、器具あるいは指を用いて付着している雑菌を洗い流して、当該部分を清潔に保つことを特徴とする自然健康管理法。【選択図】  なし【特許請求の範囲】
【請求項１】
４０℃前後の温水を肛門廻りおよび肛門内に供給しながら、器具あるいは指を用いて付着している雑菌を洗い流して、当該部分を清潔に保つことを特徴とする自然健康管理法。
【発明の詳細な説明】
【技術分野】
【０００１】
本発明は、手術を行うことなく、また薬に頼ることなく、痔を自然治癒力により完治させるための自然健康管理法に関するものである。
【背景技術】
【０００２】
従来の痔の予防法および治療法は、医学治療を中心としたものが殆どであり、また、日常の健康管理により痔を予防し、痔を完治させる方法については明確に理解されておらず、また、そのような認識が明確になされていないのが実情である。
【０００３】
痔にならないための自然健康管理法として、痔の原因は肛門に付着する雑菌が原因であるということは知られている。しかしながら重要なことは、各人が普段から痔の原因である雑菌をどのような方法で除去し、また、日常的にどのような危機感をもって自然健康管理をできるかということである。
【発明の開示】
【発明が解決しようとする課題】
【０００４】
従来においては、痔の予防および治療に対する自然健康法について明確化されていない。そこで、各人が日常どうすべきかということを意識的に植え付けることにより、痔の原因となりうるものを無くすことが個々の自然健康管理につながる。
【０００５】
本発明の課題は、このような点に鑑みて、日常的に誰でも実践可能な痔に対する自然健康管理法を提案することにある。
【課題を解決するための手段】
【０００６】
上記の課題を解決するために、自然学に沿った痔の経験者である本願発明者が考案したのが、日常的に誰でもできる自然健康管理法である。
【０００７】
すなわち、肛門まわりおよび肛門内の痔の原因は雑菌であるので、各人が日常の自然健康管理により排便後、肛門まわりおよび肛門内を清潔に保つため左手指を用いて円を描くようにしながら、４０℃程度の温水で完全に洗い流し、付着している雑菌を取り除く。これにより、痔の原因を解消することができる。
【発明の効果】
【０００８】
日本人の痔の利患者は６０〜７０％と言われているが、本発明により各人が痔に対する日常管理を行うことにより、痔を完治させることができる。
【発明を実施するための最良の形態】
【０００９】
排便後に必ず肛門周りおよび肛門内に、雑菌が付着し、これが痔の原因とされている。したがって、排便したいと思ったときに、必ず手を石鹸にて清潔にし便座につく。ここで、常に爪は必ずきれに切ってある状態で爪の中の雑菌もない状態にしておく必要がある。爪によって皮膚を傷つけ雑菌が入る可能性があるからである。また、爪の中には雑菌が入っている可能性もあるからである。
【００１０】
次に、排便後には、速やかに自ら左手指を用いて肛門周りおよび肛門内部まで円を描くように温水４０℃くらいにて完全に洗い流し雑菌を取り除く。
【００１１】
その後、使用した手には雑菌が付着しているので、必ず石鹸で洗い流して清潔にする。
【００１２】
このように、個々が肛門周りおよび肛門内まで日常清潔に保つことが痔にならない自然健康管理法である。
(57)【要約】【課題】嗜好品のお茶やコーヒーや酒などの最適の液温で最も美味しいと感ずる。また幼児や食事の介護を必要とする病人や老人などにも最適な温度で美味しく食してもらうために、温度表示をわかりやすくした温度表示カップを提供する。従来のサーモラベルはほとんどのものが不可逆性であり、繰り返し使用ができないため、その都度交換しなければならず無駄が多かった。また水やお湯に浸漬すると着脱したりして使えなくなるなどの問題があった。【解決手段】カップの側面に温度表示のできるサーモラベルを貼着し、温度表示のできるサーモラベルは可逆性を要し、サーモラベルに防水性のカバーを貼設することで実現する。【選択図】図１
2005110825.tif 000002
【特許請求の範囲】
【請求項１】
カップの側面に温度表示のできるサーモラベルを貼着したことを特徴とする温度表示カップ。
【請求項２】
請求項１記載の温度表示のできるサーモラベルは可逆性を特徴とする温度表示カップ。
【請求項３】
請求項１記載の温度表示のできるサーモラベルに防水性のカバーを貼設することを特徴とする温度表示カップ。
【発明の詳細な説明】
【技術分野】
【０００１】
本発明は、温度変化を表示する可逆で繰り返し使用が可能なサーモラベルを温度表示カップに貼着することで、カップ内の液体や固体の温度を表示する温度表示カップに関する発明である。
【背景技術】
【０００２】
ある物体の温度環境を記録、表示するサーモラベルがある。これはＣｏＣｌ2・（ＣＨ2）6Ｎ4・１０Ｈ2Ｏなどのような無機化合物の加熱時の結晶水の放出、スピロピランやビアントロンなどの有機化合物の加熱時の構造変化、ロイコ染料と固体酸とアルコール性水酸基を有する化合物の三成分からなるものの加熱時の化学反応等によって、発色もしくは消色し温度変化の有無を表示する。
【特許文献１】特開平９−２２５００９号公報
【発明の開示】
【発明が解決しようとする課題】
【０００３】
嗜好品のお茶やコーヒーや酒などは人それぞれに最適の液温を持っている、その温度で飲んだときに最も美味しいと感ずる。しかしその最適の温度はカップに口をつけるまで分からず、場合によっては舌を火傷することも少なくない。
また幼児や食事の介護を必要とする病人や老人などにも最適な温度で美味しく飲食するために、温度表示をわかりやすくした温度表示カップを提供することを目的とする。
しかしながら、従来のサーモラベルはほとんどのものが不可逆性であり、繰り返し使用ができないため、その都度交換しなければならず無駄が多かった。また水やお湯に浸漬すると着脱したりして使えなくなるなどの問題があった。
【０００４】
本発明は、上述した問題点を解決するためになされたものであり、その目的とする所は、表示が可逆性で繰り返し使用が可能なサーモラベルを提供することにある。
【課題を解決するための手段】
【０００５】
上記目的を達成するため、請求項１記載の発明は、カップの側面に温度表示のできるサーモラベルを貼着したことを特徴とする。また、請求項２の発明は、請求項１記載の発明において、温度表示のできるサーモラベルは可逆性を特徴とする。また、請求項３の発明は、請求項１記載の発明において、温度表示のできるサーモラベルに防水性のカバーを貼設することを特徴とする。
【発明の効果】
【０００６】
本発明に係る温度表示カップによれば、この発明の温度が表示できる温度表示カップにより、お茶やコーヒーや酒などの嗜好品を最適な液温で美味しく飲める、また幼児や病人や老人などは食事を美味しく食することができる。また本発明のサーモラベルは温度によって可逆的に変化する感熱体を有しているので、繰り返し使用が可能であり、ランニングコストの低減、更には資源の節約に貢献することができる。更にサーモラベルに防水性のカバーを貼設することでカップを水やお湯で洗浄しても着脱や浸漬することがない。
【発明を実施するための最良の形態】
【０００７】
カップの側面に温度表示のできるサーモラベルを貼着し、サーモラベルは可逆性を要し、サーモラベルに防水性のカバーを貼設することで実現した。
【実施例１】
【０００８】
以下、本発明の実施例を図面に基づいて具体的に説明する。
図１は、この発明に係わる温度を表示できる温度表示カップの実施例を示す斜視図である。
温度表示カップ１は、サーモラベル２を温度表示カップ１の側面以外の例えば底面や上蓋や柄や取っ手などに貼着させてもよい、またカップの材質、形状、大きさに関係なく貼着できる、上記サーモラベル２はカップの材質、形状、大きさに応じて長くしたり広くしたり複数個に分けて貼着してもよい。
【０００９】
上記サーモラベル２は、温度の変化により変色するので使用者の希望する温度までカップ内の液体の温度を調整することができる、サーモラベル２は可逆性の感熱体で繰り返し使用が可能である、例えば感熱体は、これを構成する樹脂母材中に分散されている有機低分子物質が、加熱度合に相対して多結晶と単結晶との間を相変化することにより、その透明度が変化する。このような感熱体を有するサーモラベルを任意の被着体に添付した場合、サーモラベルの感熱体の透明度の変化により、被着体の温度履歴が確認でき、更に再加熱により容易にサーモラベルを初期状態に復帰させることができる。
【００１０】
上記温度表示カップ１に貼着されたサーモラベル２は洗浄に耐えるために、サーモラベル２を防水性のカバー３を貼設している。上記カバー３は耐湿性、耐水性、耐熱性、耐候性、耐久性、耐酸性、耐アルカリ性、透過性、耐強度を備えている材質で覆われている。例えばポリエチレンテレフタレート、ポリプロピレン、ポリ塩化ビニル、ポリスチレン、ポリカーボネート、ポリアミド、ポリイミドなどの樹脂フィルムなどが使用できる。
【００１１】
温度表示カップ１は、色で温度を表示するサーモラベル２を使用することで、幼児や病人や老人などの数字や目盛では認識しにくい人でも理解しやすい。また温度表示カップ１は取っ手を右手で持っても左手で持ってもサーモラベルの温度表示が正面で読めるように長くしても良いし見やすいように２個貼着してもよい。例えば色で温度を表示するサーモラベル２は、−２０度から５８度まで２度ずつ、５０度から１００度まで５度ずつの温度ピッチで表現され、−２０度から１００度までの温度を測り、温度に応じて色や濃度を変化させることができる。
【産業上の利用可能性】
【００１２】
本発明は家庭や病院、託児所、学校などの様々な場所でたくさんの人々に手軽に使用できる温度表示カップに関する。
【図面の簡単な説明】
【００１３】
【図１】この発明に係わる温度が表示できるコップに実施形態を示す斜視図である。
【符号の説明】
【００１４】
１    温度表示カップ
２    サーモラベル
３    カバー
【図１】
2005110825.tif 000003
(57)【要約】【課題】  従来ニンニクが健康維持の為に有効な健康食品であることは、多くの人が認めながら、独特の食感・臭い・食後の口臭のため敬遠する場合が有った。そこで今回日本人が古来より好んで食してきた昆布と組み合わせ、何の抵抗も無く、無意識のうちにニンニクの有効成分を摂取出来る、昆布の佃煮を提供する。【解決手段】  昆布とニンニク又は黒ニンニクと混ぜ合わせ、更に好みにより松茸・椎茸・山椒の実等の山菜、雑魚・シジミ等の海産物と混ぜ合わせ、これらを熱湯で１時間以上煮込み佃煮にすることにより、ニンニク独特の食感・臭い・食後の口臭を和らげ、昆布に多量に含まれる天然のグルタミン酸ソーダをニンニクの中身に浸透させる事により、従来の佃煮感覚でお年よりから若年層まで広く食することが可能な、ニンニク入りの昆布の佃煮を提供することが出来る。【特許請求の範囲】
【請求項１】
昆布とニンニクを主原料とし、水中に分散させて混合し、醤油・ミリン及び必要に応じ他の副原料を添加して煮込んだことを特徴とする昆布の佃煮。
【請求項２】
上記ニンニクが黒ニンニクであることを特徴とする請求項１記載の昆布の佃煮。
【請求項３】
上記の昆布とニンニクの混合比率が、重量比で１０：１〜１０：１０であることを特徴とする昆布の佃煮。
【請求項４】
上記の副原料として松茸・椎茸・シメジ・マイタケ・山椒の実等の山菜食物、及び／又は小魚・シジミ等の海産食物が、適宜選ばれたものであることを特徴とする昆布の佃煮。
【請求項５】
上記煮込みの条件が１時間以上煮沸さることを特徴とする昆布の佃煮。
【発明の詳細な説明】
【技術分野】  本発明は、健康の維持・増進を図る事の出来る昆布の佃煮に関するものである。
【背景技術】  本発明は、古来よりニンニクは健康食品として、広く食されて来たが、独特の食感・臭い・食後の口臭等のため嗜好性が高く、広く普及するには及ばなかった。これの改良として、無臭ニンニク、黒ニンニク等が考案され、販売されている。
しかし未だ日本人の食感には完全に馴染込めていない。本発明はこれらを解決することにより、日本人の食生活に広く普及させ、活力が得られ、疲労回復、頭脳明晰、皮膚が若返り、活力の出る、昆布の佃煮を提供するものである。
【発明の開示】
【発明が解決しようとする課題】  本発明は従来のニンニク入り健康食品の問題点である、ニンニク独特の食感・臭い・食後の口臭を改善し、通常の佃煮感覚で食することの出来るニンニク入りの活力の出る昆布の佃煮を提供するものである。
【課題を解決するための手段】
【０００１】  請求項１に記載の昆布の佃煮は、昆布の甘味成分である天然のグルタミン酸ソーダをニンニクの中身に充分にしみ込ませたことを特徴とする。本発明で用いる昆布としては、例えば、昆布を約２ｃｍ×約２ｃｍ程度の角切りにし、厚さ１ｍｍから３ｍｍにスライスしたニンニクを混ぜ、これを１時間以上かけてじっくりと煮込むことにより、昆布に多量に含まれる天然のグルタミン酸ソーダがニンニクの中身まで充分に含浸させることが可能となって、日本人の食感にマッチしたニンニク入り昆布の佃煮を作ることができる。【０００２】  天然のグルタミン酸ソーダは元来代表的な化学調味料の原材料であり、日本料理における昆布でだしを取り、うま味の下地作りを行うのも、また湯豆腐に昆布を敷いて使用し、おいしさを引き出すのも、総て昆布に含まれる天然のグルタミン酸ソーダによるものであり、日本人の食感にマッチし、古来より好んで食されて来た。【０００３】  １時間以上かけて煮沸させることにより、昆布に含有される天然のグルタミン酸ソーダをニンニクの中身に充分浸透させる事ができ、ニンニクが含まれていても日本人の食感にマッチし、また独特の臭いを和らげ、食後の口臭も低減することが出来る。【０００４】  またニンニクに多く含まれる、▲１▼トリスルフィンドは、肝臓を強くすることにより皮膚の老化を防止する、▲２▼システインは、脳の神経細胞を伸ばす働きがあり、脳内の情報ネットワークの活性化を図り、これが記憶力アップ・発想力アップ・思考力アップとなり、▲３▼更に糖タンパクの一種であるニンニクレクチンは癌細胞と結合し、癌細胞を死滅させる効果等があると言われている。【０００５】  請求項２に記載の昆布の佃煮は、黒ニンニクを使用することを特徴としている。
種々の無臭ニンニクの中で玄米発酵液や遠赤外線で長時間処理を施された黒ニンニクを使用すれば、食感・臭気・食後の口臭がさらに改善され、日本人に最もマッチしたニンニク入りの昆布の佃煮を作ることが出来る。【０００６】  請求項３に記載の昆布の佃煮に用いる昆布とニンニクの重量比は１０：１から１０：１０で有ることを特徴としている。この重量比で、昆布１０に対しニンニクは５程度が、最も日本人の食感にマッチしている。この重量比を１０：１より少なくすると、ニンニクの有効成分の摂取量が少なくなり、健康維持・増進の効果も少なく成る。又逆に重量比が１０：１０を越えるとニンニクの食感・臭い・口臭が強く成り過ぎるため、従ってこの範囲と限定される。【０００７】  請求項４に記載の昆布の佃煮は、嗜好により副原料として松茸・椎茸・シメジ・マイタケ・山椒の実等の山菜食物及び／又は雑魚の小魚類、またシジミ等の海産食物を混ぜ合わせて煮込むことを特徴としており、これらの副原料を添加することにより、より一層日本人好みの佃煮を提供することが可能となる。【０００８】  請求項５に記載の昆布の佃煮は１時間以上煮沸することを特徴としており、この沸騰により昆布中の天然のグルタミン酸ソーダをニンニクの中身まで浸透させることができる。この沸騰の時間は長ければ長いほどよい。
【発明の効果】  昆布に含有する天然のグルタミン酸ソーダをニンニクの中身まで充分に浸透させる事により、日本人の食感にマッチしたニンニク入りの昆布の佃煮を作ることができ、従来の昆布の佃煮と同一感覚で食することが可能となり、無意識の内にニンニクの健康に有効な成分を摂取することが出来る。
【発明を実施するための最良の形態】  角切昆布と黒ニンニクさらに椎茸を加えたものに、佃煮として必要な醤油・砂糖・みりん・化学調味料・還元澱粉糖化物等を加えた物を熱湯で１時間以上じっくりと煮沸する事により昆布に含まれる天然のグルタミン酸ソーダをニンニクの中身まで充分に含浸させた昆布の佃煮を製造することができる。
【実施例】  大鍋に５０Ｌの水を入れ、約２ｃｍ×約２ｃｍの角切りにした昆布３０ｋｇと、厚さ約２ｍｍにスライスした黒ニンニク１５ｋｇ（重量比１０：５）及び長さ１．５ｃｍから２．０ｃｍの椎茸８ｋｇを大鍋の水中にいれ、これらを良くかき混ぜ、佃煮として必要な醤油１０Ｌ・砂糖８ｋｇ・みりん２Ｌ・化学調味料を少々・還元澱粉糖化物少々を加えたものを熱湯で沸騰させ、約５時間炊き込んだ。
これにより、昆布の天然グルタミン酸ソーダが、ニンニクの中身に充分浸透し、日本人の食感にマッチしたニンニク入りの昆布の佃煮が出来た。
【産業上の利用可能性】  活力が得られ健康維持・増進の図れる食品として、老年層から若年層まで広く、従来感覚で食することが出来、無意識の内にニンニクの有効成分の摂取が可能な、健康維持・増進が図れる昆布の佃煮を提供する事が出来る。
(57)【要約】【課題】  エビの生存時間を延長するテナガエビ及びホワイトエビの海運方法を提供する。【解決手段】  低温タンクに淡水と海水を含む混合水を注入して、混合水の水温を調整し、混合水に酸素供給装置によって酸素を供給すると共に、エビの糞を分解するフミン酸ナトリウムを添加し、目的地に到着するまでの間、定期的に低温タンクの混合水を交換すると共に、混合水にフミン酸ナトリウムを添加することを特徴とする。【選択図】        図１
2005110662.tif 000002
【特許請求の範囲】
【請求項１】
低温タンクに淡水と海水を含む混合水を注入して、混合水の水温を調整し、混合水に酸素供給装置によって酸素を供給すると共に、エビの糞を分解するフミン酸ナトリウムを添加し、目的地に到着するまでの間、定期的に低温タンクの混合水を交換すると共に、混合水にフミン酸ナトリウムを添加することを特徴とするテナガエビ及びホワイトエビの海運方法。
【請求項２】
前記淡水と海水の混合比例は各５０ｗｔ％であることを特徴とする請求項１に記載のテナガエビ及びホワイトエビの海運方法。
【発明の詳細な説明】
【技術分野】
【０００１】
本発明は、特にエビの生存時間を延長するテナガエビ及びホワイトエビの海運方法に関するものである。
【背景技術】
【０００２】
テナガエビはタイエビと言われ、体積が大きく、雌のエビは卵黄が大量に含まれているので、エビ料理には最良の素材である。しかし、この種の主要な産地は熱帯性地域であり、淡水又は近海で成長するものであるので、人工養殖の生存率が他のエビより低く、又、熱帯性地域以外の場所では、気温が低く及び繁殖時間が短いなどの原因から、長時間にかけなければテナガエビを予定の大きさに成長させることができない。
【０００３】
又、原産地が中南米の太平洋岸であるホワイトエビは、前記テナガエビと同様に人工養殖が難しいので、通常熱帯性地域以外の場所には空運又は海運によって運ばれている。又、テナガエビ及びホワイトエビを生きたまま目的地に運ぶために、従来の海運方法では、船にエビを保存するための大量の淡水を有する低温タンクを用意し、そして、エビを該低温タンクに入れる。また、このテナガエビ及びホワイトエビの海運方法は公知のものであるため、特に特許文献や非特許文献には記載されていない。
【発明の開示】
【発明が解決しようとする課題】
【０００４】
従来のテナガエビ及びホワイトエビの海運方法は、エビの生存時間を延長するために、毎日新鮮な淡水に交換しなければならなく、そのようにしないと、エビの糞などの異物により水が汚染され、低温タンクにおけるエビが死亡しやすくなる。しかし、毎日淡水を交換するとなると、運送コストが高くなる問題や、船で大量の交換用淡水を用意する必要があるなどの問題が出てくる。、又、船で大量の清水を用意した後、エビの運送空間が少なくなるので、運送量は高くない。更に、運送には数日もかかるので、エビは運送後の生存率が極めて低くなっている。
【０００５】
そこで、出願されたのが本発明であって、エビの生存時間を延長するテナガエビ及びホワイトエビの海運方法を提供することを目的としている。
【課題を解決するための手段】
【０００６】
本願の請求項１の発明は、低温タンクに淡水と海水を含む混合水を注入して、混合水の水温を調整し、混合水に酸素供給装置によって酸素を供給すると共に、エビの糞を分解するフミン酸ナトリウムを添加し、目的地に到着するまでの間、定期的に低温タンクの混合水を交換すると共に、混合水にフミン酸ナトリウムを添加することを特徴とするテナガエビ及びホワイトエビの海運方法及び、
本願の請求項２の発明は、前記淡水と海水の混合比例は各５０ｗｔ％であることを特徴とする請求項１に記載のテナガエビ及びホワイトエビの海運方法、を提供する。
【発明の効果】
【０００７】
本発明は上記の課題を解決する方法であり、海水含む混合水を用いることで淡水の使用量を減らすことにより、運送コストを軽減でき、また、エビの糞を分解できるフミン酸ナトリウムを添加することによって混合水を清潔に保つので、エビの生存時間を延長させることができる。
【発明を実施するための最良の形態】
【０００８】
以下、添付図面を参照して本発明の好適な実施の形態を詳細に説明する。
【０００９】
図１に示すように、これは本発明に係るテナガエビ及びホワイトエビの海運方法のフローチャートである。本発明に係るテナガエビ及びホワイトエビの海運方法（１０）は、運送前に、船で淡水及びエビの保存用低温タンクを用意し、該低温タンクに所定量の淡水及び海水を注入し、該淡水と海水の混合水の温度を調整した後、エビを該混合水に入れ、また、エビの生存時間を延長するため、定期的に低温タンクの混合水を更新する。
【００１０】
前記低温タンクにおける混合水の用意は、予定比例の淡水と海水を混合すると共に、アイス又は冷却装置によって混合水の水温を降下し、降下後の水温は１８℃〜２０℃のほうが望ましく、また、淡水と海水の混合比例は各５０ｗｔ％のほうが望ましい。また、低温タンクの外側に酸素供給装置が設けられることにより、混合水にエビが生き続けるため酸素を供給する。
【００１１】
また、テナガエビ及びホワイトエビが我慢できる量の海水を混合するので、淡水の使用量は降下し、使用の海水は直接に海から取得することができるので、非常に便利である。エビを水温を調整した混合水を有する低温タンクに入れた後、該混合水にエビの糞を分解するフミン酸ナトリウムを添加することにより、混合水の清潔度を維持する。該フミン酸ナトリウムの添加量は１トンの混合水に３〜４グラムのフミン酸ナトリウムを添加するほうが望ましい。
【００１２】
また、海運で運送過程中、毎日一回で混合水を交換すると共に、混合水にフミン酸ナトリウムを添加するだけでよい。
【産業上の利用可能性】
【００１３】
本発明は上記の方法を有するので、海水含む混合水を用いることで淡水の使用量を減らすことにより、運送コストを軽減でき、また、エビの糞を分解できるフミン酸ナトリウムを添加することによって混合水を清潔に保つので、エビの生存時間を延長させることができる。
【図面の簡単な説明】
【００１４】
【図１】本発明に係るテナガエビ及びホワイトエビの海運方法のフローチャートである。
【符号の説明】
【００１５】
１０    海運方法
【図１】
2005110662.tif 000003
(57)【要約】【課題】  茶葉を摘採するとき、朝露が付着している場合がある。露が付いて濡れている茶葉を摘採すると、茶葉が刈刃に付着しやすく、付着した茶葉が刈刃に絡みつき、摘採作業を中断して、絡んだ茶葉を取り除かなければならなくなる。また、摘採後の茶葉が濡れていると、重く、運びにくく、また、茶葉の品質が変化する原因を招くために、茶葉が乾いた状態で摘採することを推奨している。【解決手段】  第１の手段では、乗用型茶葉摘採機の茶袋保持板に、茶葉の表面の露を払い落とす露払い手段を設ける。第２の手段では、第１の手段の露払い手段に、刈刃と略同径の刷毛を設ける。第３の手段では、第１または２の手段の吹出口を茶樹へ向けた送風手段を設ける。【選択図】図１
2005110603.tif 000002
【特許請求の範囲】
【請求項１】
乗用型茶葉摘採機の茶袋保持板に、茶葉の表面の露を払い落とす露払い手段を設けることを特徴とする乗用型茶葉摘採機。
【請求項２】
露払い手段に、刈刃と略同径の刷毛を設けることを特徴とする請求項１記載の乗用型茶葉摘採機。
【請求項３】
吹出口を茶樹へ向けた送風手段を設けることを特徴とする請求項１または２記載の乗用型茶葉摘採機。
【発明の詳細な説明】
【技術分野】
【０００１】
本発明は、摘採前に、茶葉に付着した露を除去するための装置に関するものである。
【背景技術】
【０００２】
茶葉を摘採するとき、朝露が付着している場合がある。露が付いて濡れている茶葉を摘採すると、茶葉が刈刃に付着しやすく、付着した茶葉が刈刃に絡みつき、摘採作業を中断して、絡んだ茶葉を取り除かなければならなくなる。また、摘採後の茶葉が濡れていると、重く、運びにくく、また、茶葉の品質が変化する原因を招くために、茶葉が乾いた状態で摘採することを推奨している。
【０００３】
そこで、従来は、背負い式送風機を作業者が背負い、手元の送風パイプから出る風を茶葉に当て、露を飛ばし、露を除去していた。また、作業者が箒等で茶葉をこすり、露を払い落していた。
【０００４】
近年、茶園内での機械化がすすめられており、摘採そのものに関しても、可搬式茶葉摘採機から乗用型茶葉摘採機に変化していった。乗用型茶葉摘採機が普及していくにつれて、手持ちの乗用型茶葉摘採機で露払いをすることが検討された。そこで、乗用型茶葉摘採機に既存で備えられている送風手段を用いて、茶葉に付着した露を送風によって除去することが発明されている（例えば、特許文献１、２参照）。
【特許文献１】特開２００１−２８号公報
【特許文献２】特開２００１−２６９０３７号公報
【発明の開示】
【発明が解決しようとする課題】
【０００５】
従来のように送風によって露を飛ばすと、飛んだ露が下の葉に付いてしまっていた。また、風が当たらない部分の露は払うことができなかった。
【課題を解決するための手段】
【０００６】
本発明では、第１の手段では、乗用型茶葉摘採機の茶袋保持板に、茶葉の表面の露を払い落とす露払い手段を設ける。第２の手段では、第１の手段の露払い手段に、刈刃と略同径の刷毛を設ける。第３の手段では、第１または２の手段の吹出口を茶樹へ向けた送風手段を設ける。
【発明の効果】
【０００７】
第１、２の手段によると、従来の乗用型茶葉摘採機に取付けるだけで、簡単な構造で、茶葉に平均に当たり、効率よく、茶葉の表面の露を除去することができる。また、第３の手段により、相乗効果で完全に露を除去することができる。また、作業者への負担も少なくてすむ。
【発明を実施するための最良の形態】
【０００８】
本実施例について、図１、２を参照して説明する。１、２はクローラによる走行装置であり、茶畝３を挟んでその両側の畝間を走行する。左右の走行装置１、２は門型枠４でつながっている。門型枠４の下方には、バリカン型の刈刃５を取付けた摘採装置が設置してある。門型枠４上には送風ファン６が設けてあり、摘採時は刈刃５の前方に設けた送風管７とフレキシブルホース８でつながれている。摘採装置の後方には茶袋保持板９が設けてあり、摘採時には摘採した茶葉を収容した茶袋を保持するためのものである。
【０００９】
１１は刈刃５と略同じ径の刷毛、１２はそのブラシ部、１３は吊り下げ具、１４はフックであり、刷毛１１に固定された吊り下げ具１３をフック１４に引っ掛け、ブラシ部１２の先端が茶樹３に接触する高さに設置する。フック１４は茶袋保持板９に取付ける。刈刃５は通常３０００Ｒであれば、刷毛１１も３０００Ｒが望ましい。また、摘採時の刈刃が他の形状のときには、摘採時の刈刃の形状に合わせると良い。吊り下げ具１３にチェーンを用いると、高さ調整が容易である。１５はフレキシブルホース、１６は送風ファン６とフレキシブルホース１５のカップリング、１７は送風ノズルである。送風ノズル１７の送風口が茶樹３に当たるように、固定具１８等を用いて、固定する。
【００１０】
茶樹３に露が付いて濡れている場合、通常の乗用型茶葉摘採機に露払い手段を取付ける。まず、茶袋保持板９に備えられているフック１４に刷毛１１が付いている吊り下げ具１３を引っ掛ける。送風ファン６を摘採時のフレキシブルホース８から露払い時のフレキシブルホース１５に接続切り替えし、送風ノズル１７を固定具１８により固定する。
【００１１】
上記のような装置を露を払う茶樹３を跨いで、走行する。ブラシ部１２が茶樹３に接触する程度で走行する。ブラシ部１２で茶樹３の露を拭き払い、また、その後の茶樹３に送風ノズル１８より送風を行なう。これによって、茶樹３の露は払い落とされ、茶葉を摘採できる状態となる。
【００１２】
本実施例では、刷毛１１と送風ノズル１７の両方を茶樹３に向けて設けると効果的たが、刷毛１１のみでも露を払い落とすことは可能である。
【図面の簡単な説明】
【００１３】
【図１】本実施例の側面図。
【図２】本実施例の背面図。
【符号の説明】
【００１４】
１    走行装置
２    走行装置
３    茶畝
４    門型枠
５    刈刃
６    送風ファン
７    送風枝管
８    フレキシブルホース
９    茶袋保持板
１０    エンジン
１１    刷毛
１２    ブラシ部
１３    吊り下げ具
１４    フック
１５    フレキシブルホース
１６    カップリング
１７    送風ノズル
１８    固定具
２１    作業者
２２    操縦ハンドル
【図１】
2005110603.tif 000003
【図２】
2005110603.tif 000004
(57)【要約】【課題】金属、アルミ，ベルト等は半永久的に持ち樹木の根が伸びてくると、根に食い込み痛め樹木の成長に影響があった。【解決手段】主に木材１を使用したので樹木の根が活着する３年程度から木材１は強度が弱くなり根が地下支柱を分解しながら成長する。【選択図】図１
2005110652.tif 000002
【特許請求の範囲】
【請求項１】
木材を主に使用したことを特徴とする地下支柱。
【請求項２】
前記木材は、樹木が活着するまでの強度を持つことを、特徴とする請求項１記載の地下支柱
【発明の詳細な説明】
【技術分野】
【０００１】  この発明は、樹木を活着固定するための地下支柱に関する。
【背景技術】
【０００２】  従来の地下支柱の材料は、図２に示すように、金属、アルミ等で形状され、ボルト、ベルト等で固定されたものである。
【発明の開示】
【発明が解決しようとする課題】
【０００３】  しかしながら、以上の技術によれば、金属、アルミ等は半永久的に持ち樹木の根が伸びてくると、根に食い込み痛め樹木の成長に影響があった。  そこで、この発明は、樹木の根の部分が成長するに合わせ、分解されやすい地下支柱を提供することを課題とする。
【課題を解決するための手段】
【０００４】  以上の課題を解決するために、第一発明は、木材を主に使用したことを特徴とする地下支柱である。
また、第二発明は、木材は、樹木が根付く迄の強度を持つことを特徴とする地下支柱である。
【発明の効果】
【０００５】  第一発明、または第二発明によれば、主に木材を使用したので樹木が活着する３年程度から木材は強度が弱くなり根が地下支柱を分解しながら成長する。
【発明を実施するための最良の形態】
【０００６】  この発明の一実施形態を、図１に示す。
地下支柱の本体１は木材製であり、この本体１の上面の端には傾き防止板１ａが設けられ上面には、フック１ｂを設け、本体１の上面中央に、木材製の枠２が一体的に設けられている。この木材製の枠２には棒状の突起２ａが複数設けられている。【０００７】「実施形態の効果」
この実施形態によれば、本体１の傾き防止板１ａにより土壌の中で安定し木材製の枠２に樹木を乗せ本体１のフック１ｂでロープで固定する。これにより樹木に負担なく根が地中に伸び、木材、ロープは年月と共に腐り土になり後処理が入らない。また、地上で樹木と共に地下支柱を組み上げた後、地中に施工すると大幅な時間の短縮になる。【０００８】「他の実施形態」
図１の木材製の枠２の実施形態では、浅いが他の実施形態では木材製の枠２は深くして設けたものでも良い。
【図面の簡単な説明】
【０００９】
【図１】この発明の一実施形態を示す斜視図である。
【図２】従来技術を示す斜視図である。
【符号の説明】
【００１０】    １    地下支柱本体              １ａ  本体安定板
１ｂ  樹木固定用留め具          ２    樹木根固定枠
２ａ  樹木根固定ピン
【図１】
2005110652.tif 000003
【図２】
2005110652.tif 000004
(57)【要約】      （修正有）【課題】動物性タンパク質に納豆菌を増殖し肉の納豆風味を有する新しい味の食品を提供する。【解決手段】室温で納豆菌を増殖させ、冷蔵庫で寝かせて作る肉の納豆で有る【選択図】なし【特許請求の範囲】
【請求項１】
あらゆる動物性タンパク質に納豆菌を増殖し作り出す肉納豆の製造法
【発明の詳細な説明】
【発明の詳細な説明】
〔産業上の利用分野〕
【０００１】本発明は動物性タンパク質に納豆菌を増殖させ作り出す肉納豆で風味とコクを持つ珍味な肉の納豆
〔従来の技術〕
【０００２】大豆で作る納豆のみで有る。
〔発明が解決しょうとする課題〕
【０００３】今まで無い納豆を作り出し商品化する事で風味とコクを持つ珍味な動物性タンパク質の納豆。
〔課題を解決するための手段〕
【０００４】本発明は納豆菌の持つタンパク質を変化し変質さす能力で肉を変化さし肉の納豆を作る。
〔作用〕
【０００５】本発明は動物性タンパク質の肉に納豆菌をふりかけ又は熟成した納豆を合わせ寝かせる事二日以上、アンモニア臭が出てくると、変化し初める。その後冷蔵庫で熟成させる。
〔実施例〕
【０００６】魚介類及び動物性の肉などを納豆菌を定着さし室温で寝かせて後、表面をす早く焼き色を付け肉に熱が浸透し無い用に肉を冷しておく事で、納豆菌を守る、その後食塩、香辛料調味料で味を付け、冷蔵庫で寝かせて肉納豆が生れる。
〔発明の効果〕
【０００７】今まで無い新しい味の納豆が表現できる。
(57)【要約】【課題】  犬やネコの放置されるフンを何回排便しても同じ袋を使い簡単に回収でき、手もスコップも汚さずに使用できるようにした、犬やネコのフン回収具を提供する。【解決手段】スコップ掬い部（１）に開口部（２）を設け、開口部（２）に袋（３）を取り付け、ハンドル（５）に袋固定具（４）とフック（６）を設け、スコップとハンドルは一体にしてなることを特徴とする。【選択図】  図２
2005110651.tif 000002
【特許請求の範囲】
【請求項１】
スコップの掬い部底面（１）に穴（２）を設け袋（３）で犬やネコ（７）のフンを回収するスコップ。
【請求項２】
スコップの掬い部底面（１）に穴（２）を設け袋（３）の口を固定する固定部（４）を設けた請求項１の犬やネコ（７）のフンを回収するスコップ。
【請求項３】
スコップの掬い部底面（１）に穴（２）を設け袋（３）の口を固定する固定部（４）を設けハンドル（５）に吊り下げ用フック（６）を設けた請求項１の犬やネコ（７）のフンを回収するスコップ。
【発明の詳細な説明】
【発明の詳細な説明】
【技術分野】
【０００１】この発明は、スコップの掬い部底面に穴を設けフン回収用袋の口を広げ取り付け、犬やネコの排泄時におしりから直接フンを回収でき、道などに落下した犬やネコのフンをスコップの先端掬い部でも回収できる犬やネコのフンを回収するスコップに関するものである。
【背景技術】
【０００２】従来、犬の飼い主は愛犬のフンを道端に落とし放置したままか、手に袋をかぶせフンを手でつかみ取るか、スコップなどで道端にフンを移動させるだけである。また、紙でできたスコップなども使用していた。
【発明が解決しようとする課題】
【０００３】これはつぎのような欠点があった。
（イ）道端などにフンを放置しておくととても不衛生で悪臭を放ち住民や農家の人の迷惑になり自然環境を汚している。
（ロ）手に袋をかぶせフンを回収する方法は、手にフンの暖かさが伝わりフンの感触が気持ち悪いのである。
（ハ）紙製のスコップは柔らかくフンをきれいに全部回収できないし何回もフンを排泄するときは、その回数分の枚数を、その都度使用しなければならずとても不経済である。
本発明は、以上のような欠点を失くすためになされたものである。
【課題を解決するための手段】
【０００４】スコップ掬い部底面（１）に開口部（２）を設け袋（３）を取り付け、ハンドル（５）に袋固定部（４）と吊り下げフック（６）を設けてなる。本発明は、以上の構成よりなる犬やネコのフンを回収するスコップに関するものである。
【発明を実施するための最良の形態】
【０００５】以下、本発明の実施の形態について説明する。
スコップ掬い部底面（１）に開口部（２）を設ける。開口部（２）に袋（３）を取り付ける。スコップとハンドル（５）は一体にしてなりハンドル（５）に袋固定部（４）とフック（６）を設ける。
本発明は、以上のような構造でこれを使用するときは、袋（３）をスコップ掬い部底面（１）にある開口部（２）へ袋（３）を入れ袋の口を袋固定部（４）に差し込む。ハンドル（５）を手で持ち犬やネコの排便時おしり（７）にスコップを近ずけ直接フンを受ける。あるいは、地面に落ちたフン（９）はスコップの掬い先端部（１）で掬い取り、スコップに入ったフンは掬い部の開口部（２）から袋（３）へ入るのである。フンを取り終わったら、袋固定部（４）から袋（３）を引抜き袋の口を上方へ上げると自然にフンの入った袋（３）はスコップ掬い部底面（１）にある開口部（２）より下へ落ちるので、その袋をゴミ処理すればよい。
【発明の効果】
【０００６】本発明品に袋をセットするだけで、犬やネコのフンを直接取ったり、すくい取ったりすることがでる。掬い取ったフンは袋へ入るので手にフンの熱や感触が伝わることなく、１回の排泄時間にフンを何回でも同じ袋に回収することができる。また、袋をスコップの穴に通しハンドルの袋固定部に差し込むだけで袋を別の部品などを用意し固定するなどのわずらわしさが一切ない。その上袋が、スコップ全体を包み込むのでスコップも汚れず水洗いなどの面倒もなく衛生的で簡単に何度でも繰返し使用できる。使い終わったらハンドル先端のフックで吊るし保管場所をとらず、犬散歩の際はリードなどへ引っ掛けて使用できるので便利である。
【図面の簡単な説明】
【図１】  本発明の斜視図である。
【図２】  本発明の実施斜視図である。
【図３】  本発明の断面図である。
【図４】  本発明の実施図斜視図である。
【図５】  本発明の実施図斜視図である。
【符号の説明】
１  掬い部
２  開口部
３  袋
４  袋固定部
５  ハンドル
６  フック
７  おしり
８  人の手
【図１】
2005110651.tif 000003
【図２】
2005110651.tif 000004
【図３】
2005110651.tif 000005
【図４】
2005110651.tif 000006
【図５】
2005110651.tif 000007
(57)【要約】【課題】  目隠し効果が大きい簾を提供する。【解決手段】  ２本以上５本以下の天然素材の線状体１を撚り合わせた撚合せ体２を、糸３で編んで構成したものである。また、右撚りの撚合せ体２ａと、左撚りの撚合せ体２ｂを、交互に配設したものである。【選択図】  図１
2005110736.tif 000002
【特許請求の範囲】
【請求項１】
２本以上５本以下の天然素材の線状体（１）を撚り合わせた撚合せ体（２）を、糸（３）で編んで構成したことを特徴とする簾。
【請求項２】
右撚りの撚合せ体（２ａ）と、左撚りの撚合せ体（２ｂ）を、交互に配設した請求項１記載の簾。
【発明の詳細な説明】
【技術分野】
【０００１】
本発明は、簾に関する。
【背景技術】
【０００２】
従来の簾は、真直状（ストレート状）の線状体を、糸で編んで構成されている（例えば、特許文献１参照）。
【０００３】
しかし、線状体相互の隙間が均一なストレート形状であって、簾の向こう側（裏側）に存在する人や物等を比較的容易に判別できるという欠点があった。
【特許文献１】特開２００３−９３２２３号公報
【発明の開示】
【発明が解決しようとする課題】
【０００４】
解決しようとする問題点は、簾の向こう側（裏側）に存在する人や物等を比較的容易に判別できるため、飲食店内の席の間仕切り等には不適であるという点にある。
【課題を解決するための手段】
【０００５】
上述の目的を達成するために、本発明に係る簾は、２本以上５本以下の天然素材の線状体を撚り合わせた撚合せ体を、糸で編んで構成したものである。また、右撚りの撚合せ体と、左撚りの撚合せ体を、交互に配設したものである。
【発明の効果】
【０００６】
本発明の簾によれば、簾の向こう側に存在する人や物等を判別しにくくする目隠し効果が大きいという利点がある。
【発明を実施するための最良の形態】
【０００７】
図１・図２は、本発明の第１の実施の形態を示す。（図２は、図１の２点鎖線に囲まれた部分Ｘを拡大したものを示す。）この簾は、通常、部屋の天井や梁等（図示省略）から吊り下げられて、向こう側の人や物体（図示省略）を目隠しする。簾は、３本の天然素材の線状体１───例えば、ひご───を撚り合わせた撚合せ体２を、糸３で編んで構成される。「ひご」は、本発明では、竹又は木から成る線状体をいうと定義する。図１のＲは補強部を示し、Ｍは目隠し部を示す。なお、図２では、糸３はいわゆる平織りの場合を図示したが、これに代えて、いわゆる撚じ編みとしても良い（図示省略）。
【０００８】
図２〜図４に示すように、簾は、右撚りの撚合せ体２ａと、左撚りの撚合せ体２ｂが、交互に配設されている。
図３は、右撚りの撚合せ体２ａを示す。上述のように、撚合せ体２は、３本の線状体１ａ，１ｂ，１ｃから成る。図３（ｂ）は、図３（ａ）のＡ−Ａ断面図である。撚合せ体２（２ａ）の横断面形状の外形は、略おむすび型である。
図４は、左撚りの撚合せ体２ｂを示す。図４（ｂ）は、図４（ａ）のＢ−Ｂ断面図である。撚合せ体２（２ｂ）の横断面形状の外形は、略おむすび型である。
【０００９】
図５は、第２の実施の形態を示す。撚合せ体２が、２本の線状体１を撚り合わせたものから成る。撚合せ体２の横断面形状の外形は、略長円型である。
【００１０】
図６は、第３の実施の形態を示す。撚合せ体２が、４本の線状体１を撚り合わせたものから成る。撚合せ体２の横断面形状の外形は、略正方形である。
【００１１】
図７は、第４の実施の形態を示す。撚合せ体２が、５本の線状体１を撚り合わせたものから成る。撚合せ体２の横断面形状の外形は、略五角形である。
【００１２】
上述のように、撚合せ体２は、２本以上５本以下の線状体１を撚り合わせたものから成る。撚合せ体２を構成する線状体１の本数が、２本というのは、線状体１を撚り合わせるための最低必要本数である。また、撚合せ体２が、５本より多くの線状体１を撚り合わせたものから成る場合、撚合せ体２の横断面形状の外形が、円形に近似するため、撚合せ体２相互の隙間Ｓ（図２参照）が略均一となり、目隠し効果が小さくなる。
【００１３】
本発明は、設計変更可能であって、例えば、撚合せ体２を構成する線状体１ごとに、色を相違させるのも好ましい。この場合、目隠し効果を大きくすることができる。
【００１４】
本発明は、２本以上５本以下の天然素材の線状体１を撚り合わせた撚合せ体２を、糸３で編んで構成したので、撚合せ体２相互の隙間Ｓが不均一（ランダム）となり、簾の向こう側の人や物体の形状が、はっきりと見えなくなる（すなわち、判別しにくくなる）。つまり、目隠し効果を大きくすることができる。特に、上下や左右等の斜め方向から見たときに、より大きな目隠し効果を得ることができる。
【００１５】
また、右撚りの撚合せ体２ａと、左撚りの撚合せ体２ｂを、交互に配設したので、（右撚りの撚合せ体２ａのみ、または、左撚りの撚合せ体２ｂのみを配設する場合と比較して、）全体が平面状を保ち易くなる。
【図面の簡単な説明】
【００１６】
【図１】本発明の第１の実施の形態を示す正面図である。
【図２】要部拡大正面図である。
【図３】右撚りの撚合せ体を示す正面図及び断面図である。
【図４】左撚りの撚合せ体を示す正面図及び断面図である。
【図５】第２の実施の形態の撚合せ体を示す断面側面図である。
【図６】第３の実施の形態の撚合せ体を示す断面側面図である。
【図７】第４の実施の形態の撚合せ体を示す断面側面図である。
【符号の説明】
【００１７】
１  線状体
２  撚合せ体
２ａ  右撚りの撚合せ体
２ｂ  左撚りの撚合せ体
３  糸
【図１】
2005110736.tif 000003
【図２】
2005110736.tif 000004
【図３】
2005110736.tif 000005
【図４】
2005110736.tif 000006
【図５】
2005110736.tif 000007
【図６】
2005110736.tif 000008
【図７】
2005110736.tif 000009
(57)【要約】【課題】解決しようとする課題は、係留された犬等の、首輪から先についている引き綱や鎖が、地面に触れないようにすることです、これは地面を引きずることにより、障害物との接触が多くなる、結果、引き綱が絡まり、犬が動けなくなったり、糞等による汚れを拡散することになる。【解決手段】上記課題を解決するため本発明は、犬またはペットの行動半径の中心に柱を立てる、柱は上部と下部の2段式にし、上部は360度回転できるようにする、回転する上部柱の上端に自由に起伏できる方法で弾力のある棒を取り付ける（７）、起伏棒はスプリングによって常時立つ方向にしておく（行動半径の大小によって起伏棒の長さ、スプリングの大小を選択する）、首輪からの引き綱の一方の端を起伏棒の先端に取り付ける。【選択図】  図１
2005110514.tif 000002
【特許請求の範囲】
【請求項１】
係留する動物の行動半径の中心に、動き回っても倒れない方法で（熔接、埋め込み、杭打ち等）柱を立て柱は上部と下部の二分割とし、上部はベアリングによって回転自由とし、柱上部の頂点はすり割りにしてプレートを挟み、プレートはシーソー運動が出来るようにピンなどで留め、プレートの一方に弾力のある棒を取り付け、もう一方にはスプリングを付けて棒を立たせることを特徴とするペット類係留装置。
【発明の詳細な説明】
【技術分野】
【０００１】
本発明は、犬などの小動物を自然に近い形で係留しようとするためのもので、引き綱によるストレスの軽減に関するものです。
【背景技術】
【０００２】
犬またはペットの引き綱が柱に巻き付いてしまう、又引き綱が糞等で汚れ困窮している。
【発明の開示】
【発明が解決しようとする課題】
【０００３】
解決しようとする課題は、係留された犬等の、首輪から先についている引き綱や鎖が、地面に触れないようにすることです、これは地面を引きずることにより、障害物との接触が多くなる、結果、引き綱が絡まり、犬が動けなくなったり、糞等による汚れを拡散することになる。
【課題を解決するための手段】
【０００４】
上記課題を解決するため本発明は、犬またはペットの行動半径の中心に柱を立てる、柱は上部と下部の2段式にし、上部は360度回転できるようにする、回転する上部柱の上端に自由に起伏できる方法で弾力のある棒を取り付ける、起伏棒はスプリングによって常時立つ方向にしておく（行動半径の大小によって起伏棒の長さ、スプリングの大小を選択する）、首輪からの引き綱の一方の端を起伏棒の先端に取り付ける。
【発明の効果】
【０００５】
本発明装置により、引き綱が地面を引きずることはない、又常時引き綱は障害物と遭遇することのない空中にあるので、何かに絡んだり汚れたりすることがない、なおかつ行動半径が引き綱の2倍になる。
【本発明を実施するための最良の形態】
【０００６】
図１は、本発明装置を使用しての実施例であって、犬が（4）のように柱の近くに居るときは、起伏棒（７）は立った状態にあるため、引き綱の先端も上になり結果引き綱は地面に接地することはない。犬が（５）のように中心から離れようとするときは、柱から遠くなるほどに起伏棒（７）は倒れ、距離は延びる、引き綱は地面に接地しない。犬が柱の反対側に行く場合は、柱の上部とともに起伏棒（７）も必要に応じて回転するため、ほとんど抵抗、そして違和感を、感じることなく移動可能である。
【図面の簡単な説明】
【０００７】
【図１】ペット類係留装置の実施方法を示した概観図である。
【図２】ペット類係留装置の明細図である。
【符号の説明】
【０００８】
１  行動半径
２  ベース
３  引き綱取り付け部
４  犬が柱の近くに居る状態
５  犬が行動半径の限界に居る状態
６  引き綱
７  起伏棒
８  シーソープレート
９  止めピン
１０  調整用シャフト
１１  回転シャフト
１２  すり割り溝、の底部
１３  防水シール
１４  防水カバー
１５  スラストベアリング
１６  柱
１７  スプリング調整具
１８  スプリング
１９  スプリング止め
【図１】
2005110514.tif 000003
【図２】
2005110514.tif 000004